【手続補正書】
【提出日】令和2年1月22日(2020.1.22)
【手続補正１】
【補正対象書類名】特許請求の範囲
【補正対象項目名】全文
【補正方法】変更
【補正の内容】
【特許請求の範囲】
【請求項１】
時計(1)のための機構であって、
特定の公称振幅および特定の振動周期で振動するように適合された調節部材(12a; 230)を備えるレギュレータ(12)と、
歯(17; 117)が設けられ、エネルギー貯蔵装置(8)によって付勢されるように意図されるエネルギー分配部材(10)と、
前記エネルギー分配部材の前記歯(17; 117)と係合するパレットフォーク(11)であって、前記エネルギー分配部材(10)が前記エネルギー貯蔵装置(8)によって付勢されて、繰り返し動作のサイクルにおいて増分ステップで移動するように前記エネルギー分配部材(10)を周期的および交互に係止および解放するために前記レギュレータ(12)によって制御され、繰り返し動作のこのサイクルの間、前記レギュレータ(12)に機械エネルギーを伝えるように適合されたパレットフォーク(11)と
を備え、
第1の弾性リンク手段(R1)によって前記パレットフォーク(11)に弾性的に連結され、第2の弾性リンク手段(R2)によって前記調節部材(12a; 230)に弾性的に連結された結合解除部材(13; 213)であって、第1の極端な位置と第2の極端な位置との間で特定の振幅で、前記調節部材(12a; 230)と同じ振動周期で振動するように構成された結合解除部材(13; 213)と、
前記極端な位置を課すための動作制限手段(52、54、55; 253a、253b)と
を備えることを特徴とする機構。
【請求項２】
前記動作制限手段は、前記結合解除部材(13; 213)が間で振動する2つの停止要素(54、55; 253a、253b)を備える、請求項1に記載の機構。
【請求項３】
前記パレットフォーク(11)および前記エネルギー分配部材(10)は、前記エネルギー分配部材(10)が移動するときはいつでも、前記パレットフォーク(11)によって再係止される直前に前記第1の弾性リンク手段(R1)に機械エネルギーを伝えるために、前記エネルギー分配部材が前記パレットフォーク(11)に衝撃を供給するように成形される、請求項1または2に記載の機構。
【請求項４】
前記パレットフォーク(11)は弾性サスペンション(27; 238、256a、256b)に搭載される、請求項1から3のいずれか一項に記載の機構。
【請求項５】
前記パレットフォーク(11)および前記第1の弾性リンク手段(R1)は、前記結合解除部材(13)が前記第1の極端な位置と前記第2の極端な位置との一方にあるときにのみ、前記パレットフォーク(11)が前記エネルギー分配部材(10)を解放するように設計される、請求項1から4のいずれか一項に記載の機構。
【請求項６】
前記エネルギー分配部材はガンギ車(10)であり、前記パレットフォーク(11)は、逃がし方向に沿って前記ガンギ車(10)の各々の側に1つずつ配置された第1および第2の停止部材(21、22; 121、122; 221、222)を備え、前記第1および第2の停止部材(21、22; 121、122; 221、222)は、前記ガンギ車(10)の前記歯(17)に交互に係止するように適合され、前記パレットフォーク(11)は、前記第1および第2の停止部材(21、22; 121、122; 221、222)が前記ガンギ車の前記歯に係止するときに第1および第2の静止位置をそれぞれ占めるように、ならびに、前記逃がし方向に沿って2つの前記静止位置の各々の側に1つずつ位置する2つの極端な振動位置の間で振動するように、搭載および成形される、請求項1から5のいずれか一項に記載の機構。
【請求項７】
前記結合解除部材(13)は、前記第1の極端な位置と前記第2の極端な位置との間で前記逃がし方向に沿って移動可能であり、前記第1の弾性リンク手段(R1)は、前記結合解除部材(13)が前記第1の極端な位置のすぐ近傍にあるとき、前記第1の停止部材(21; 121; 221)を前記ガンギ車(10)から離すことによって、前記逃がし方向に沿う第1の方向(63)に前記パレットフォーク(11)を移動するように設計され、前記第1の弾性リンク手段(R1)は、前記結合解除部材(13)が前記第2の極端な位置のすぐ近傍にあるとき、前記第2の停止部材(22; 122; 222)を前記ガンギ車(10)から離すことによって、前記逃がし方向(X)に沿う前記第1の方向(63)と反対の第2の方向(64)に前記パレットフォーク(11)を移動するように設計され、前記第1の極端な位置は、前記第2の極端な位置に対して前記第1の方向(63)に沿ってずれている、請求項6に記載の機構。
【請求項８】
前記パレットフォーク(11)および前記ガンギ車は、前記ガンギ車(10)が移動するときはいつでも、前記パレットフォークによって再係止される直前に前記第1の弾性リンク手段(R1)に機械エネルギーを伝えるために、前記ガンギ車が前記パレットフォーク(11)に衝撃を供給するように成形される、請求項6または7に記載の機構。
【請求項９】
前記ガンギ車(10)は単一の回転の方向(16)で回転するように設計され、前記ガンギ車の各々の歯(17)は、前記パレットフォーク(11)に前記衝撃を供給するために、前記回転の方向(16)に配向された、前記第1の停止部材(21)または前記第2の停止部材(22)のいずれかに対してカムとして作用するように適合される凸状前縁(17a)を有し、前記凸状前縁(17a)は、前記ガンギ車(10)を係止するために前記第1の停止部材(21)または前記第2の停止部材(22)のいずれかに当接するように適合される停止縁(17c)まで、前記回転の方向(16)と反対である角度方向に延びる、請求項8に記載の機構。
【請求項１０】
前記ガンギ車(10)および前記パレットフォーク(11)は、各々の衝撃の終わりにおいて、前記第1の弾性リンク手段(R1)が、前記パレットフォークの前記第1の静止位置および前記結合解除部材の前記第2の極端な位置、または、前記パレットフォークの前記第2の静止位置および前記結合解除部材の前記第1の極端な位置のいずれかによって、幾何学的に決定付けられる弾性変形の状態になるように設計される、請求項7を引用する場合の請求項8または9に記載の機構。
【請求項１１】
前記結合解除部材(13)の振幅は、前記調節部材(12a)の公称振動振幅より小さい、請求項1から10のいずれか一項に記載の機構。
【請求項１２】
前記結合解除部材(13)の振幅は、前記調節部材(12a)の公称振動振幅の25%未満である、請求項1から11のいずれか一項に記載の機構。
【請求項１３】
前記結合解除部材(13; 213)の振幅は、前記調節部材(12a; 230)の公称振動振幅の5%より大きい、請求項1から12のいずれか一項に記載の機構。
【請求項１４】
前記動作制限手段(52、54、55; 253a、253b)は、前記極端な位置の各々において、特定の停止時間にわたって、前記結合解除部材(13; 213)を動かない状態に維持するように適合され、前記結合解除部材(13; 213)は、振動周期の75%より大きい合計停止時間にわたって、各々の振動周期の間、不動とされる、請求項1から13のいずれか一項に記載の機構。
【請求項１５】
前記合計停止時間は、振動周期の95%未満である、請求項14に記載の機構。
【請求項１６】
前記結合解除部材(13; 213)は剛体である、請求項1から15のいずれか一項に記載の機構。
【請求項１７】
前記レギュレータ(12)、前記パレットフォーク(11)、および前記結合解除部材(13; 213)は、同じ板(14)に形成された統合された一体品システムを構成し、前記板の中央平面内で移動するように設計される、請求項1から16のいずれか一項に記載の機構。
【請求項１８】
前記結合解除部材(13; 213)は、前記結合解除部材(13; 213)を固定支持体(15)に連結する弾性サスペンション(56; 256a、256b)によって案内される、請求項1から17のいずれか一項に記載の機構。
【請求項１９】
請求項1から18のいずれか一項に記載の機構を備える時計。